(57)【要約】【課題】各種の電池を無駄なく有効に利用することができるデジタルカメラを提供する。【解決手段】  スルー表示とした後、ＡＣアダプタ５１が装着されているか否かを判断する。ＡＣアダプタ５１が装着されていないとき、専用充電池５３が装着されているか否かを判断し、専用充電池５３が装着されていないとき、単三電池ホルダ５２に装着されている単三型電池の種類を判断する。単三電池ホルダ５２に装着されている単三型電池の種類に応じてタイマ２６ａによる計時を行なう。【選択図】図２
2008092398.tif 000002
【特許請求の範囲】
【請求項１】
複数の電源の種類を識別する識別手段と、
前記電池の種類に応じてスルー表示の時間を設定する設定手段と、
前記設定されたスルー表示の時間を計時する計時手段と、
前記計時手段による計時の完了を認識したとき、前記スルー表示を停止する停止手段と
を備えていることを特徴とするデジタルカメラ。
【請求項２】
前記識別手段で前記電源の種類がＡＣアダプタであると識別されたとき、前記設定手段で設定された時間にかかわらず前記スルー表示を継続する継続手段を備えていることを特徴とする請求項１記載のデジタルカメラ。
【発明の詳細な説明】
【技術分野】
【０００１】
この発明はデジタルカメラに関する。
【背景技術】
【０００２】
従来、デジタルカメラの使用態様として、撮影後に被写体の像を再生するだけでなく、被写体の光学像を撮像素子に結像させ、撮像素子から出力された電気信号に基づいて被写体の像を液晶表示装置等の表示装置上に動画像として表示させる、いわゆるスルー画像表示が行なわれている。
【０００３】
スルー画像表示を利用すれば、撮影前の被写体の像を連続して表示装置上に表示させることができるので、好ましい構図の写真を取得することが容易になる。
【０００４】
しかし、スルー画像表示の消費電力は大きく、デジタルカメラの電池に非常に大きくかつ連続的な放電を強いることになる。デジタルカメラの電源として用いられる電池としては、単三型アルカリ電池、単三型リチウム電池、単三型ニッケル水素電池等が使用される。単三型アルカリ電池、単三型リチウム電池は連続放電電流が大きくなると、放電特性が著しく低下することが知られている。
【０００５】
これに対し、各種モード（例えば電子ファインダモード、連続ＡＦモード等）での消費電力を予測し、その予測された各種モードでの消費電力に基づいて、各種モードを実行するのに十分な電力を電池が供給可能であるか否かを判定し、実行するのに十分な電力を電池が供給可能であると判定されたモードを実行あるいは許可する撮像装置が知られている（下記特許公報参照）。
【特許文献１】特開２００１−３３９６３０号公報
【発明の開示】
【発明が解決しようとする課題】
【０００６】
しかし、電池の種類によって放電特性が異なるにもかかわらず、上記撮像装置では電池の種類ごとに各種モードを実行するのに十分な電力を電池が供給可能であるか否かを判定していない。そのため、まだ使用可能な電池であるにもかかわらず、カメラの動作を止めなければならず、電池を有効に利用することができなかった。
【０００７】
この発明はこのような事情に鑑みてなされたもので、その課題は各種の電池を無駄なく有効に利用することができるデジタルカメラを提供することである。
【課題を解決するための手段】
【０００８】
上記課題を解決するため請求項１記載の発明は、複数の電源の種類を識別する識別手段と、前記電池の種類に応じてスルー表示の時間を設定する設定手段と、前記設定されたスルー表示の時間を計時する計時手段と、前記計時手段による計時の完了を認識したとき、前記スルー表示を停止する停止手段とを備えていることを特徴とする。
【０００９】
請求項２に記載の発明は、請求項１記載のデジタルカメラにおいて、前記識別手段で前記電源の種類がＡＣアダプタであると識別されたとき、前記設定手段で設定された時間にかかわらず前記スルー表示を継続する継続手段を備えていることを特徴とする。
【発明の効果】
【００１０】
この発明によれば、各種の電池を無駄なく有効に利用することができる。
【発明を実施するための最良の形態】
【００１１】
以下、この発明の実施の形態を図面に基づいて説明する。
【００１２】
図１はこの発明の一実施形態に係るデジタルカメラの構成を説明するブロック図、図３はスルー表示の一例を示す図である。
【００１３】
このデジタルカメラはカメラ本体１０とスクリーン４１とペンタプリズム４２と光学ファインダ４３とＡＣアダプタ５１と単三電池ホルダ５２と専用充電池５３とを備えている。
【００１４】
カメラ本体１０は、絞り１１とレンズ１２とミラー１３とシャッタ１４と固体撮像素子１５と撮像回路１６とメモリ１７と外部記憶装置１８と露光制御回路１９とＡＦ制御回路２０と測光回路２１と焦点検出回路２２とスイッチセンス回路２３と画像表示装置２４と電源回路２５と制御装置２６とＡＣアダプタ差込部２７と電池接片２８とを備えている。
【００１５】
絞り１１、ミラー１３及びシャッタ１４の動作は露光制御回路１９によって制御され、レンズ１２による変倍、ピント合わせはＡＦ制御回路２０によって制御される。ミラー１３は軸１３ａを中心として矢印に示すように回転可能である。
【００１６】
露光制御回路１９は、絞り１１、シャッタ１４の開閉の動作を測光回路２１の出力に基づいて行なう。ＡＦ制御回路２０は、焦点検出回路２２の出力に基づいてレンズ１２を移動させる。
【００１７】
スイッチセンス回路２３はダイアル２３ａやメニュースイッチ２３ｂの状態を表す信号を制御装置２６へ出力する。メニュースイッチ２３ｂの押下げによって画像表示装置２４にデジタルカメラの機能設定画面が表示される。撮影者は電池種類を選択・決定する画面を選択し、撮影者自らが電源とした電池の種類を決定することができる。
【００１８】
固体撮像素子１５としては光電変換素子（図示せず）が２次元的に配置されており、各光電変換素子は入射した光の強さに応じた信号を出力する。
【００１９】
撮像回路１６は制御装置２６からの制御信号によって、光電変換素子から出力された信号を画像信号に変換し、メモリ１７、外部記憶装置１８に出力する。
【００２０】
メモリ１７は例えば１画面分の画像信号を記憶する。
【００２１】
制御装置２６には電源回路２５を介してＡＣアダプタ５１、単三電池が装着された単三電池ホルダ５２又は専用充電池５３から電力が供給される。トランジスタＴｒがオンになったことを検知して、制御装置２６はＡＣアダプタ５１を介して電力が供給されていることを検出する。
【００２２】
制御装置２６は設定した時間を計時するタイマ（計時手段）２６ａと予め決定された複数種類の電池のそれぞれの計時時間を記憶するメモリ２６ｂとを有する。
【００２３】
制御装置２６は、複数の電源の種類を識別する識別手段、電池の種類に応じてスルー表示の時間を設定する設定手段、タイマ２６ａによる計時の完了を認識したとき、スルー表示を停止する停止手段及びスルー表示を継続する継続手段として機能する。
【００２４】
電源回路２５は電池接片２８を介して単三電池からの電力の供給の有無にかかわらず、ＡＣアダプタ５１から電力の供給によって動作するよう切換回路（図示せず）を有している。
【００２５】
単三電池ホルダ５２にはカメラ本体１０に設けられたスイッチ２９を押し下げるための突起５２ａが形成されている。スイッチ２９は制御装置２６に電気的に接続されている。
【００２６】
一方、専用充電池５３には突起は形成されていない。
【００２７】
そのため、制御装置２６はスイッチ２９からの信号によって装着されている電池を識別することができる。
【００２８】
ディスプレイオンオフボタン（図示せず）によってスルー表示が選択されていない場合（ミラー１３が図１に示された位置にある場合）、被写体からの光は、絞り１１、レンズ１２、ミラー１３、スクリーン４１、ペンタプリズム４２、光学ファインダ４３を介して撮影者の目Ｅに導かれる。
【００２９】
ディスプレイオンオフボタン（図示せず）によってスルー表示が選択された場合、制御装置２６は露光制御回路１９によってミラー１３を跳ね上げ、被写体からの光を絞り１１、レンズ１２、シャッタ１４を介して固体撮像素子１５の受光面に結像させる。制御装置２６は固体撮像素子１５から出力された画像信号をメモリ１７、外部記憶装置１８に記憶させるとともに、被写体の画像を画像表示装置２４に表示させる（図３参照）。
【００３０】
なお、図３中の３８ｓｅｃという表示はカウントダウンされる表示可能時間である。
【００３１】
図２はこの発明の一実施形態に係るデジタルカメラの電池選択動作を説明するフローチャートである。
【００３２】
まず、撮影者によってスルー表示が選択される（Ｓ１）。
【００３３】
次に、スルー表示許可フラグを立てたか否か（オンかオフ）を判断する（Ｓ２）。
【００３４】
スルー表示許可フラグがオフのとき（ＮＯ）、処理を終了する。
【００３５】
スルー表示許可フラグがオンのとき（ＹＥＳ）、ＡＣアダプタ５１が装着されているか否かを判断する（Ｓ３）。
【００３６】
ＡＣアダプタ５１が装着されているとき（ＹＥＳ）、ステップ１１へ移行する。
【００３７】
ＡＣアダプタ５１が装着されていないとき（ＮＯ）、専用充電池５３が装着されているか否かを判断する（Ｓ４）。
【００３８】
専用充電池５３が装着されているとき（ＹＥＳ）、タイマ２６ａを初期化して専用充電池用表示時間を設定する（Ｓ６）。
【００３９】
専用充電池５３が装着されていないとき（ＮＯ）、単三電池ホルダ５２に装着されている単三型電池の種類を判断する（Ｓ６）。
【００４０】
単三電池ホルダ５２に装着されている単三型電池の種類がリチウム電池であるとき、タイマ２６ａを初期化してリチウム電池用表示時間を設定する（Ｓ７）。
【００４１】
単三電池ホルダ５２に装着されている単三型電池の種類がアルカリ電池であるとき、タイマ２６ａを初期化してアルカリ電池用表示時間を設定する（Ｓ８）。
【００４２】
単三電池ホルダ５２に装着されている単三型電池の種類がニッケル水素電池であるとき、タイマ２６ａを初期化してニッケル水素電池用表示時間を設定する（Ｓ９）。
【００４３】
ステップＳ７,Ｓ８又はＳ９を終了した後、タイマ２６ａによる計時を開始する（Ｓ１０）。
【００４４】
次に、スルー表示を開始する（Ｓ１１）。
【００４５】
その後、タイマ２６ａによる計時が完了したか否かを判断する（Ｓ１２）。
【００４６】
タイマ２６ａによる計時が完了しないとき（ＮＯ）、スルー表示を許可するか否かを判断する（Ｓ１３）。
【００４７】
スルー表示を許可しないとき（ＮＯ）、ＡＣアダプタ５１が装着されているか否かを判断する（Ｓ１４）。
【００４８】
タイマ２６ａによる計時が完了したとき（ＹＥＳ）又はスルー表示を許可するとき（ＹＥＳ）、タイマ２６ａを停止して計時を終了する（Ｓ１５）。
【００４９】
次に、スルー表示を中止する（Ｓ１６）。
【００５０】
ＡＣアダプタ５１が装着されているとき（ＹＥＳ）、タイマ２６ａを停止して計時を終了する（Ｓ１７）。すなわち、ＡＣアダプタ５１が装着されているときは電力供給能力に余裕があるため、スルー表示時間に制限を設けない。このとき、それ以前に行われていた電池の計時処理は中止される。
【００５１】
ＡＣアダプタ５１が装着されていないとき（ＮＯ）、ステップ１２に戻る。
【００５２】
この実施形態によれば、電池の種類毎に電力を供給できる時間を判定しているので、各種の電池を有効に利用することができる。
【図面の簡単な説明】
【００５３】
【図１】図１はこの発明の一実施形態に係るデジタルカメラの構成を説明するブロック図である。
【図２】図２はこの発明の一実施形態に係るデジタルカメラの電池選択動作を説明するフローチャートである。
【図３】図３はスルー表示の一例を示す図である。
【符号の説明】
【００５４】
２６：制御装置、２６ａ：タイマ（計時手段）、５１：ＡＣアダプタ。 
【図１】
2008092398.tif 000003
【図２】
2008092398.tif 000004
【図３】
2008092398.tif 000005